(57)【要約】      （修正有）【課題】皮膚の表面に対しテープを円弧状やＳ字状にカーブさせて貼着する場合においても、そのカーブの外側が大きく引きつったり、内側で皺を生じたりするのを回避可能にする。【解決手段】帯状をなすテープ本体１の長手方向に沿う両側縁に切欠３を一定間隔または不定間隔をおいて形成する。また、テープ本体が伸縮性を持つこと、テープ本体の片面には粘着剤層が設けられていること、及び、テープ本体の幅方向の中心を通る中心線上に沿って小孔４が一定間隔または不定間隔をおいて設けられていることを特徴とする。【選択図】図１
2010124926.tif 000002
【特許請求の範囲】
【請求項１】
帯状をなすテープ本体の長手方向に沿う両側縁に切欠が一定間隔または不定間隔をおいて形成されてなることを特徴とするテーピングテープ。
【請求項２】
前記テープ本体が伸縮性を持つことを特徴とする請求項１に記載のテーピングテープ。
【請求項３】
前記テープ本体の片面には粘着剤層が設けられていることを特徴とする請求項１または２記載のテーピングテープ。
【請求項４】
前記テープ本体の幅方向の中心を通る中心線上に沿って小孔が一定間隔または不定間隔をおいて設けられていることを特徴とする請求項１乃至３のいずれか１項に記載のテーピングテープ。
【発明の詳細な説明】
【技術分野】
【０００１】
本発明は、スポーツや外科的治療等の分野で利用され、主に運動機能のスキルアップや筋肉、関節等の矯正、治療、補助、保護等のために身体に貼着して使用するテーピングテープに関する。
【背景技術】
【０００２】
従来から、スポーツの分野やシェイプアップ等の目的で身体の一部に装着することによって身体機能の補助や向上等を目的としてテーピングテープが広く使用されている。また、このテーピングテープは、外科的治療や矯正、保護のためにも身体の皮膚に直接貼着するなどして使用される。
【０００３】
このようなテーピングテープには、従来は伸縮性の乏しい織布の帯状テープが用いられていたが、例えば関節部や筋肉部に装着した場合に簡単に緩んでしまい、所定の締め付け力または装着力を確保できなかった。また、このようなテープの緩みを少なくするために、このテープを必要以上に身体に締め付けるように装着した場合には、関節部や筋肉部の動きを阻害するほか、血行障害を招くという不都合があった。
【０００４】
一方、これに対し、今日では、伸縮性を付与した帯状テープが広く用いられている。この伸縮性の帯状テープは、片面に粘着剤を塗布した、全長に亘って一定幅のテーピングテープであり、特許文献１に示されるように例えば外反母趾等の矯正に用いられている。
【特許文献１】特開平１−２１８４４６号公報
【発明の開示】
【発明が解決しようとする課題】
【０００５】
しかしながら、かかる従来のテーピングテープでは、ロール状の帯状テープを適宜の長さに切断し、身体等の形態に合わせて円弧状またはＳ字状に装着する場合に、そのカーブの外側には強い緊張力が作用し、一方、そのカーブの内側では弛んで皺が発生し、これらの緊張部分および緩み部分が皮膚面から簡単に剥離する原因になっている。従って、身体の前記治療や矯正、補助などの施術の効果が減退してしまう。
【０００６】
また、テーピングテープは鋏などを用いて所定の長さに切り取って使用するため、切り取ったテープの角部（４隅部）が略９０°の角度で尖った形状をなし、従って、身体の肌に貼着した後もこの尖った部分から剥がれ易いという不都合があった。
【０００７】
さらに、前記のように切り取ったテープを、一端から幅方向の中心を結ぶ中心線に沿って所定長に亘って鋏で切り分けてＹ字状にしたり、テープの両端から同様に切り分けてＸ字状にしたりする場合がある。このような場合には切り分けられたテープの幅サイズがムラになり、適切な施術が行えないなどの不都合があった。
【０００８】
本発明は前述のような従来の問題点に着目してなされたものであり、皮膚の表面に対しテープを円弧状やＳ字状にカーブさせて貼着する場合においても、そのカーブの外側が大きく引きつったり、内側で皺を生じたりするのを回避可能にするとともに、粘着剤が塗布されたテープにあっては、テープ端からの剥離を発生し難くすることができるテーピングテープを提供することを目的とする。
さらに、本発明は、テープをその幅の中心を結ぶ（仮想上の）中心線に沿って、略等幅となるように鋏で簡単に切り分けることができるテーピングテープを提供することを目的とする。
【課題を解決するための手段】
【０００９】
前記目的達成のために、本発明に係るテーピングテープは、帯状をなすテープ本体の長手方向に沿う両側縁に切欠が一定間隔または不定間隔をおいて形成されてなることを特徴とする。
【００１０】
この構成により、テープ本体を身体の所定部分の皮膚に円弧状やＳ字状に貼着する際、テープ本体のカーブの外側では切欠が拡開するすることによって、このカーブ部分での緊張力の集中が避けられるとともに、カーブの内側では切欠が閉じるように作用し、皺の発生を吸収し、この閉じた部分付近に皺が発生するのを防止できる。従って、身体のあらゆる曲面に対してテープ本体の全体を密着させることができ、身体機能の補助、保護および固定に極めて効果的になる。
切欠の形状としては、特に限定されるものではなく、略Ｖ字状や半円状を例示できる。
【００１１】
また、本発明に係るテーピングテープは、前記テープ本体が伸縮性を持つことを特徴とする。
この構成により、テープ本体が伸縮性を伴うことによって、さらに身体のあらゆる曲面に対してテープ本体の全体を密着させることができ、身体機能の補助、保護および固定に極めて効果的になる。
【００１２】
また、本発明に係るテーピングテープは、前記テープ本体の片面に粘着材層が設けられていることを特徴とする。
この構成により、テープ本体の身体への密着性が確保され、関節部の矯正作用や筋肉の補助作用をより十分に高めることができる。
【００１３】
また、本発明に係るテーピングテープは、前記テープ本体の幅方向の中心を通る中心線上に沿って小孔が一定間隔または不定間隔をおいて列設されていることを特徴とする。
この構成により、テープ本体をその幅の中心を結ぶ列設する小孔で形成する中心線に沿って略等幅に切り分けることができる。従って、切り分けた各テープを円弧状やＳ字状にカーブさせながら身体の複雑な形態箇所に貼着することができる。
前記小孔の形状は、特に制限されるものではなく、方形や円形の形状を例示できる。なお、小孔の形状は、中央より切断したとき、両方の形状が対称となるものが、切断した側縁に形成される切欠が対称で同じとなるので好ましい。
【発明の効果】
【００１４】
本発明のテーピングテープによれば、次のような効果を奏する。
（１）本発明によれば、皮膚の表面に対しテープ本体を円弧状やＳ字状にカーブさせて貼着する場合においても、そのカーブの外側が大きく引きつったり、内側で皺を生じたりするのを回避することができる。
（２）テープ本体が伸縮性を有すると、テープ本体への密着性を高めることができる。それにより関節部の矯正作用や筋肉の補助作用をより十分に高めることができる。
（３）粘着剤が塗布されたテープ本体にあっては、テープ端からの剥離を発生し難くすることができると共に、テーピングを容易に行うことができる。
（４）テープ本体の幅方向の中心を通る中心線上に沿って小孔が列設されていると、テープ本体をその幅の中心を結ぶ（仮想上の）中心線に沿って、略等幅となるように鋏で簡単に切り分けることができる。したがって、テープ本体をＹ字形やＸ字状に切断して使用するのに容易となる。
【発明を実施するための最良の形態】
【００１５】
以下に、本発明の実施の形態によるテーピングテープを、図面を参照して詳細に説明する。
図１は、本発明の実施の形態によるテーピングテープを示す平面図、図２は図１のＡ−Ａ線断面図である。このテーピングテープは木綿や化学繊維の織物の帯状体１と、この帯状体１の片面（裏面）に粘着剤層２を設けたテープ本体Ｔからなる。このテープ本体Ｔの長手方向に沿う両側縁には切欠３が一定間隔または不定間隔をおいて複数形成されている。
【００１６】
切欠３は、テープ本体Ｔを身体の局部に貼着する際に、身体の局部の形状に対応して湾曲し、緊張力の集中や皺の発生を防止するものである。例えば、テープ本体Ｔを身体の皮膚に円弧状やＳ字状に貼着する際、テープ本体Ｔのカーブの外側では切欠３が拡開するすることによって、このカーブ部分での緊張力の集中が避けられるとともに、カーブの内側では切欠３が閉じるように作用し、この閉じた部分付近に皺が発生するのを防止でき、これにより身体のあらゆる曲面に対してテープ本体Ｔの全体を密着させることができる。したがって、切欠３の形状は、前記機能を実現できる形状であればよく、特に、制限はない。切欠３の形状としては、例えば、Ｖ字状や半円状を挙げることができる。本例ではＶ字状の切欠３を示している。
【００１７】
また、テープ本体Ｔは長手方向に帯状に連続する長尺のものであり、使用する際に適宜の長さに切断して使用する。従って、この切欠３の形状、例えば、切り欠き角度は、この切欠３でテープ本体Ｔを幅方向に切断する際に、できるだけ鋭角となるのを避けることが望ましい。身体の肌に貼着されたテープ本体Ｔが、この鋭角部分で剥離し易くなるのを防ぐためである。図１では切欠３で切断した角部が傾斜してカットされた形状となるような切欠３の形状となっている。
【００１８】
また、帯状体１は比較的織目が粗く、通気性および伸縮性に富む織物を素材として作られている。このように帯状体１は伸縮性が付与されることで、例えばスポーツ競技などにおいて、身体の関節部の運動量や筋肉部の伸縮量を規制することで、これら各部の機能を障害から守ることができる。なお、その伸縮性および粘着強度はテープ本体が貼着される部位、つまり用途によって適正に決められる。
【００１９】
粘着剤層２を形成する粘着剤としては、皮膚からの剥離時に傷みを感じない粘着力を持つものが求められる。この粘着力が大きすぎると、カブレや血行障害を招く。一方、粘着力が小さ過ぎると、運動などによる貼着部位の激しい動きによって、また発汗などによってテープ本体が肌から簡単に剥離してしまい、所期の施術効果が得られない。従って、粘着剤はこれらの欠点がないものを用いることが、極めて重要である。
このため、従来から、例えば固体ゴムと液体ゴムを重量比で１：０．５〜０．７とした接着剤組成物が用いられている。この接着剤組成物のうち固体ゴムには、ＳＲＢ，Ａ-Ｂ-Ａ型ブロック共重合体エラストマーなどがあり、液体ゴムには、液体イソプレン、液体イソプレン-スチレンなどがある。
【００２０】
このテープ本体Ｔの幅方向の中心を結ぶ中心線（仮想上の中心線）上には、この中心線に沿って小孔４が一定間隔または不定間隔おきに形成されている。この小孔４は、テープ本体Ｔの幅方向の中心線に沿って略等幅に切り分ける際の切断線を示すものであり、テープ本体Ｔの幅方向の中心を通る中心線上に沿って小孔４が列設されていると、テープ本体Ｔをその幅の中心を結ぶ中心線に沿って略等幅に切り分けることができる。図８（ａ）（ｂ）はテープ本体Ｔを列設する小孔４で形成する中心線に沿って、鋏で略等幅に切断している様子を示し、（ａ）はＹ字状に、（ｂ）はＸ字状に切断した場合を示している。
【００２１】
また、テープ本体Ｔの幅方向の中心に切断線を列設する小孔４で形成すると、この小孔４に沿って切断したとき、この切断した端縁（側縁）にも、小孔４を形成していた部分で切欠となるので、やはり前記切欠３と同様の機能を有するようになるので好ましい。
この小孔４の形状は、切断線として機能できるものであればよく、特に制限はないが、テープ本体Ｔを小孔４で形成する中心線に沿って２つに切断すると、前記切欠３と略同一形態の切欠となる形状が、切断した際の切断端面に形成される切欠と、既に存在する切欠３とが同一になるので好ましい。図１に示す実施の形態では、小孔４は四角形（菱形）であり、四角形（菱形）の１つの対角線上で切断すると切欠３と同じＶ字状の切欠が形成されるようになっている。
【００２２】
また、図１および図２に示すように帯状体１の短辺側の側端中心に、切断する際の起点となる切欠３ａを設けると、テープ本体Ｔを中心から小孔４に沿って切断するときの目印となるので好ましい。
また、テープ本体Ｔが、帯状に長尺であり、使用するときに適宜の長さに切断して使用するタイプのものは、小孔４を通る線上に沿って幅方向に切断した際、その小孔４の部分が短辺側端で切断起点となる切欠３ａに形成される小孔４の形状とするのが好ましい。
【００２３】
しかして、このような切欠３を持つテープ本体Ｔを身体の肌（皮膚）に円弧状やＳ字状に貼着した場合に、曲げ（カーブ）の外側では切欠３が拡開し、一方、曲げの内側では切欠３が狭まるだけで、その曲げが容易、円滑に行われる。また、この曲げ部位でテープ本体Ｔ自体に大きなストレスが集中するのを有効に回避することができる。また、この切欠３部分でテープを鋏で横断した場合には、その四つの角部（隅部）の形状が鋭角にならず、従って、肌に貼着されたテープ本体Ｔがその角部から剥がれ易くなるのを回避できる。
【００２４】
テープ本体Ｔを幅方向の中心をつなぐ小孔４で形成する中心線に沿って、鋏で小孔４をカット（切断）した場合には、略等幅に分断できると共に、その中心線に沿って前記切欠３と同様の切欠が得られ、このカットによって切り分けられた細いテープ本体Ｔを円弧状やＳ字上状に曲げて肌（皮膚）への貼着が可能になる。また、その中心線に沿った切断によって、等幅のテープが容易に得られ、例えば図８（ａ）（ｂ）に示すように切断しＹ字状やＸ字状のテープ本体Ｔとしての利用が可能になる。
【００２５】
従って、本実施の形態のテープ本体Ｔでは、皮膚を伸ばしてテープ本体Ｔを伸ばさないで貼るリラクション法では、従来の伸縮テープよりも曲げの外側と内側で均一に近い波状部ができ、皮膚や筋肉、関節のリラクション効果を向上することができる。一方、皮膚を伸ばさず、本体テープＴを伸ばして貼るトラクション法では、従来の伸縮テープよりも伸張効果が高く、皮膚や筋肉、関節の矯正効果を高めることができる。
【００２６】
図３（ａ）〜（ｅ）は、本発明の他の実施の形態を示すテープ本体の平面図である。図３（ａ）は、帯状体１が細長の短片で、長手方向の両側縁が波形で、短辺の両端が円弧状のテープ本体Ｔ１であり、（ｂ）は帯状体１が短片で両側縁が内側に湾曲した形状のテープ本体Ｔ２であり、（ｃ）は帯状体１が前記（ｂ）より長い短片で両側縁が内側に湾曲した形状のテープ本体Ｔ３であり、（ｄ）は帯状体１が比較的細い短片で、長手方向の両側縁に複数の切欠３が設けられているテープ本体Ｔ４であり、（ｅ）は帯状体１がやや大きい短片で、長手方向の両側縁が外側に膨出し、その両側縁に複数の切欠３が設けられているテープ本体Ｔ５である。
【００２７】
図４（ｆ）〜（ｊ）は、本発明のさらに他の実施の形態を示すテープ本体の平面図である。図４（ｆ）は、帯状体１が長手方向の一端から他端に向かって徐々に幅広となる短片で、長手方向の両側縁に複数の切欠３が設けられ、短辺側の側端が円弧状となっているテープ本体Ｔ６であり、（ｇ）は、帯状体１が長方形で、長手方向の中間部を除く両端側に複数の切欠３が設けられ、短辺側の両側端が内側に凹んでいるテープ本体Ｔ７であり、（ｈ）は、帯状体１が半円状に湾曲する短片で、長手方向の両側縁に複数の切欠３が設けられているテープ本体Ｔ８であり、（ｉ）は、前記図３（ｄ）に示すテープ本体Ｔ４より幅広のテープ本体Ｔ９であり、（ｊ）は、前記図３（ｃ）に示すテープ本体Ｔ３の長手方向の中間部を除く両側縁に切欠３が設けられているテープ本体Ｔ１０である。
【００２８】
図５（ａ）〜（ｄ）は、本発明のさらに他の実施の形態を示すテープ本体の平面図である、図５（ａ）は、帯状体１が長方形の短片で、長手方向の中間部を除く両端縁に複数の切欠３が設けられているテープ本体Ｔ１１であり、（ｂ）は、帯状体１が長方形の長手方向の中間部が外側に少し膨出する短片で、長手方向の両側縁に複数の切欠３が設けられているテープ本体Ｔ１２であり、（ｃ）は、帯状体１が長方形の長手方向の中間部に、一側縁が凹み５、他側縁は、一側縁の凹み５に対応する位置が膨出する略翼状の短片で、長手方向の両側縁に複数の切欠３が設けられているテープ本体Ｔ１３であり、（ｄ）は、帯状体１の一端側の端辺が、切込部７により複数の指状片１ｂに分割され、他端側は長孔状の切込部６で二片１ａ、１ａに分割された格好のテープ本体Ｔ１４である。
【００２９】
図６（ｅ）〜（ｈ）は、本発明のまた更に他の実施の形態を示すテープ本体の平面図であり、図６（ｅ）は、帯状体１が図５（ｃ）に示す帯状体１より短く、凹み５が存在する側の側縁には切欠がなく、膨出する側の側縁に切欠３が設けられたテープ本体Ｔ１５であり、（ｆ）は、その（ｅ）よりやや長いテープ本体Ｔ１６であり、（ｇ）は、図４（ｈ）に示すものより稍々長いテープ本体Ｔ１７であり、（ｈ）は、帯状体１が細長の長方形で、全体に少し湾曲しており、長手方向の一側縁に複数の切欠３が設けられたテープ本体Ｔ１８である。
【００３０】
図７（ａ）（ｂ）は、本発明のまた更に他の実施の形態を示すテープ本体の平面図である。図７（ａ）は、図１に示すテープ本体１の小孔４がないテープ本体Ｔ１９であり、（ｂ）はそれより稍々大きいテープ本体Ｔ２０である。
【００３１】
図３乃至図７に示した実施の形態のテープ本体Ｔ１〜Ｔ１２も、図１および図２に示すように裏面（貼着面）に粘着剤層２を備えたり、また、切断目印の小孔４を設けたりしてもよいが、図面では省略し平面形状のみので示している。
この図３乃至図７に示すテープ本体Ｔ１〜Ｔ２０の形状は、身体の施術（貼着）する部位の形状に対応して良好な形状としてある。
例えば、図３（ａ）〜（ｅ）および図４（ｆ）〜（ｊ）は、ゴルフのスキルアップに使用するものを示している。まず、図３（ａ）に示すテープ本体Ｔ１は指に貼着して使用するもので、これがグリップを安定させ、スライスを止める施術に使用する。図３（ｂ）（ｃ）に示すテープ本体Ｔ２は後首および胸部に貼着して使用することで、スウイング軸を安定させ、ダフリを止める施術に使用する。
【００３２】
図３（ｄ）（ｅ）に示すテープ本体Ｔ４、Ｔ５はそれぞれ首および脚に貼着して使用するもので、これがヘッドアップを施術するのに使用する。図４（ｆ）（ｇ）に示すテープ本体Ｔ６、Ｔ７は腹および脚に貼着して飛距離をアップする施術に使用する。図４（ｈ）（ｉ）に示すテープ本体Ｔ８、Ｔ９は、肩および腕に貼着して、打球の方向性を安定化する施術に使用する。図４（ｉ）に示すテープ本体Ｔ１０は、腕から胸にかけて２枚貼着することで、パットのぶれを施術するのに使用する。
【００３３】
図５（ａ）〜（ｄ）および図６（ｅ）〜（ｈ）は、運動時の身体の動きをサポートし、怪我を防止し、疲労を軽減するボディケアー用のテープ本体を示す。まず、図５（ａ）（ｂ）に示すテープ本体Ｔ１１、Ｔ１２は、足裏および脚（すね）にそれぞれ貼着して脚の動きをサポートし、ケガの予防や疲労の軽減の施術に使用する。図５（ｃ）に示すテープ本体Ｔ１３は、膝に貼着して膝の動きをサポートするのに使用する。
【００３４】
図５（ｄ）に示すテープ本体Ｔ１４は、手首の動きをサポートするのに使用する。図６（ｅ）（ｆ）に示すテープ本体Ｔ１５、Ｔ１６は、肘に貼着して、ひじの動きをサポートし、ケガの防止や疲労の軽減の施術に使用する。図６（ｇ）に示すテープ本体Ｔ１７は、肩に貼着されて、肩の動きをサポートするのに使用する。図６（ｈ）に示すテープ本体Ｔ１８は、首に貼着されて首の動きをサポートするのに使用する。
【００３５】
図７（ａ）および図７（ｂ）は運動時の身体の柔軟性を増して、シェイプアップやダイエットを促進させるテープ本体を示す。図７（ａ）に示すテープ本体Ｔ１９は、腕に貼着されて、首、肩を軽くかつ楽にして、身体のバランスを整えて姿勢を矯正するのに使用する。図７（ｂ）に示すテープ本体Ｔ１９は、脇腹に貼着されて、左右の側屈を軽くするテープ本体Ｔ２０を示す。
【００３６】
また、足裏に貼着して柔軟性を高めて足の動きを軽くするために、図５（ａ）に示すテープ本体Ｔ１１を用いることができ、脚（すね）に貼着して上半身を軽くするために、図５（ｂ）に示すテープＴ１２と同様のものを用いることができる。また、内股に貼着して内腿、膝の動きを軽くし、姿勢を良くするために、図４（ｇ）のテープ本体Ｔ７と同様のものを用いることができる。
【００３７】
さらに、下腹に貼着して下腹を締め、腰が曲がりやすくするために、図４（ｆ）のテープ本体Ｔ６と略同様のものを用いることができる。
なお、テープ本体が前述の各種形態を持つことにより、非伸縮性のテープや粘着剤層を持たないテープについても曲げに対して良好な施術効果が得られるものである。
【００３８】
このように本実施の形態のテーピングテープは、帯状をなすテープ本体の両側縁に複数の切欠を一定間隔または不定間隔をおいて形成した構成である。
これによって皮膚の表面に対しテープを円弧状やＳ字状にカーブさせて貼着する場合においても、そのカーブの外側が大きく引きつったり、内側で皺を生じたりするのを回避可能にするとともに、粘着剤が塗布されたテープにあっては、テープ端からの剥離を発生し難くすることができる。
【産業上の利用可能性】
【００３９】
本発明は、皮膚の表面にテープを円弧状やＳ字状にカーブさせて貼着する場合に、そのカーブの外側が大きく引きつったり、内側で皺を生じたりするのを回避でき、またテープ端から容易に剥がれてしまうという不都合がなくなるという効果を有し、スポーツや外科的治療等の分野で利用され、運動機能のスキルアップや筋肉、関節等の矯正等のために身体に貼着して使用するテーピングテープ等に有用である。
【図面の簡単な説明】
【００４０】
【図１】本発明の実施の形態を示すテーピングテープの平面図である。
【図２】図１のＡ−Ａ線断面図である。
【図３】本発明の他の実施の形態を示すテープ本体の平面図（ａ）（ｂ）（ｃ）（ｄ）（ｅ）である。
【図４】本発明のさらに他の実施の形態を示すテープ本体の平面図（ｆ）（ｇ）（ｈ）（ｉ）（ｊ）である。
【図５】本発明のまた更に他の実施の形態を示すテープ本体の平面図（ａ）（ｂ）（ｃ）（ｄ）である。
【図６】本発明のまた更に他の実施の形態を示すテープ本体の平面図（ｅ）（ｆ）（ｇ）（ｈ）である。
【図７】本発明のまた更に他の実施の形態を示すテープ本体の平面図（ａ）（ｂ）である。
【図８】テープ本体の切断する様子を示す平面説明図（ａ）（ｂ）である。
【符号の説明】
【００４１】
１  帯状体
２  粘着剤層
３  切欠
４  小孔
５  凹み
６、７  切込部
Ｔ、Ｔ１〜Ｔ２０  テープ本体
【図１】
2010124926.tif 000003
【図２】
2010124926.tif 000004
【図３】
2010124926.tif 000005
【図４】
2010124926.tif 000006
【図５】
2010124926.tif 000007
【図６】
2010124926.tif 000008
【図７】
2010124926.tif 000009
【図８】
2010124926.tif 000010